(57)【特許請求の範囲】
【請求項１】
洗面化粧室の壁面に隣接して洗面化粧台を設け、上記洗面化粧台の上方の天井に照明器具を埋設し、洗面化粧台のカウンター上面から天井近傍に至るように鏡を壁面に沿わせて設置し、上記照明器具を天井で下面を開口する函状の照明ボックスと照明ボックス内に配置した灯具とで構成し、上記灯具を蛍光灯であるメイン灯具とサブ灯具とで構成し、サブ灯具に比べて出力の大きなメイン灯具を照明ボックスにおける鏡と反対側の壁と上面とのコーナ部に配置すると共に、サブ灯具を照明ボックスにおける鏡側の壁と上面とのコーナ部に配置したことを特徴とする洗面化粧室の構造。
【請求項２】
蛍光灯は直管状のものであり、サブ灯具としての蛍光灯が洗面化粧台の巾と略同様の長さを有し、メイン灯具としての蛍光灯がサブ灯具の蛍光灯と比べて長い長さを有するものであることを特徴とする請求項１に記載の洗面化粧室の構造。
【発明の詳細な説明】
【０００１】
【発明の属する技術分野】
本発明は、洗面化粧室の照明の構造に関するものである。
【０００２】
【従来の技術】
従来から洗面化粧室では、壁面に沿って洗面化粧台が設けられ、洗面化粧台のカウンター上面から上方に向って壁面に沿わせて鏡を設けているものである。また、洗面化粧台は文字どおり洗面所であると共に化粧等を施すことができるところでもあるので、上記の鏡は大きければ大きいものほど好まれるものである。また、鏡及び洗面化粧台のカウンター上面は化粧等の作業するために適度な照度を必要とするものである。
【０００３】
【発明が解決しようとする課題】
これにより、洗面化粧台の鏡及び洗面化粧台のカウンター上面を照らすように照明器具は洗面化粧台の鏡の上部に設けられることが多いものであり、これは鏡の大きさを制約してしまうものであった。
【０００４】
本発明は上記の点に鑑みてなされたものであり、照明器具の設置位置に工夫を加えることにより、より快適で使いやすい洗面化粧室の構造を提供することを課題とするものである。
【０００５】
【課題を解決するための手段】
上記課題を解決するために本発明に係る請求項１に係る洗面化粧室の構造は、洗面化粧室の壁面２０に隣接して洗面化粧台１を設け、上記洗面化粧台１の上方の天井１９に照明器具を埋設し、洗面化粧台１のカウンター１０上面から天井１９近傍に至るように鏡８を壁面２０に沿わせて設置し、上記照明器具を天井で下面を開口する函状の照明ボックス１４と照明ボックス１４内に配置した灯具１５とで構成し、上記灯具１５を蛍光灯であるメイン灯具１５ａとサブ灯具１５ｂとで構成し、サブ灯具１５ｂに比べて出力の大きなメイン灯具１５ａを照明ボックス１４における鏡８と反対側の壁と上面とのコーナ部に配置すると共に、サブ灯具１５ｂを照明ボックス１４における鏡８側の壁と上面とのコーナ部に配置したことを特徴とする。このように、洗面化粧台１の上方の天井１９に照明器具を埋設したことより、洗面化粧台１のカウンター１０上面から天井１９に至る空間を有効に使用することができ、カウンター１０上面から天井１９近傍に至るような大型の鏡８を設置することができ、化粧等に際して使い勝手のよい洗面化粧台１を得るものである。また、上記照明器具を構成する灯具１５を蛍光灯で構成したことにより、洗面化粧台１で化粧をする際に自然光を浴びているのに近い状態を創出することができ、また、蛍光灯の寿命は一般的に長いものであるから取替え等のメンテナンスの回数を減らすことができるものである。更に、上記灯具１５をメイン灯具１５ａとサブ灯具１５ｂとで構成し、サブ灯具１５ｂに比べて出力の大きなメイン灯具１５ａを照明ボックス１４における鏡８と反対側の壁と上面とのコーナ部に配置すると共に、サブ灯具１５ｂを照明ボックス１４における鏡８側の壁と上面とのコーナ部に配置したことにより、洗面化粧室の鏡８側にはメイン灯具１５ａ及びサブ灯具１５ｂの直接照明をもって照らすことで高照度の照明を供給することができ、洗面化粧室全体にはサブ灯具１５ｂの直接照明及びメイン灯具１５ａの間接照明によって照らすことでほのかな明るさを有する照明を供給することができるものである。
【０００８】
また、本発明の請求項２に係る洗面化粧室の構造は、請求項１において、蛍光灯は直管状のものであり、サブ灯具１５ｂとしての蛍光灯が洗面化粧台１の巾と略同様の長さを有し、メイン灯具１５ａとしての蛍光灯がサブ灯具１５ｂの蛍光灯と比べて長い長さを有するものであることを特徴とする。これにより、最も明るさが必要な鏡８及び洗面化粧台１のカウンター１０上面をメイン灯具１５ａとサブ灯具１５ｂとで明るく照らし、鏡８を配置した壁面２０の他の部分はメイン灯具１５ａのみで照らすことで、無駄を省き効率よく洗面化粧室の空間の適所に適度な照明を供給することができるものである。
【０００９】
【発明の実施の形態】
以下、本発明を添付図面に示す実施形態に基づいて説明する。
【００１０】
図１乃至７に本発明の実施の形態の例を示す。
【００１１】
洗面化粧室はユニットルーム化されたものであり、床面１８は略面一に形成された床パンから形成され、上記床パンの四方の端部には複数の壁パネルが立設し壁面２０，２１，２２，２３を形成するものであり、上記複数の壁パネルの上面において天井パネルを架設して天井１９を形成するものである。このようなユニット化された洗面化粧室は上記床パンを建物基台等に載置して建物に設けられるものである。
【００１２】
図４に示すように、洗面化粧室の一端の壁面２０に沿って洗面化粧台１を設置し、洗面化粧台１に隣接して洗濯機等の他の設備機器２を設置できるものであり、洗濯機等の他の設備機器２の上方には窓２７を設けている。また、図７に示すように上記壁面２０に隣接し且つ洗面化粧台１に隣接する壁面２１には、洗面化粧台１側から棚４が設けられ、棚４に隣接して出入用の扉２４が設けられている。ここで、棚４の洗面化粧台１側に開けた開口部分にはスライド自在に設けた蓋を形成しているものである。この蓋は上記開口の巾の半分の巾を有するものであり、洗面化粧台１側に小側面鏡６を設けているものである。このように棚４を設けることによって洗面化粧台１で用いる洗顔料等の小物類を仕舞うことができるものである。また、図５に示すように、上記壁面２０に隣接し且つ洗濯機等の他の設備機器２が隣接する壁面２２には、壁面２１の扉２４に対向する位置に出入用の扉２５が設けられている。また、図６に示すように、上記壁面２０と対向する壁面２３には壁面２２の扉２５の近傍において収納部２６が設けられているものである。
【００１３】
洗面化粧台１は洗面台１２と鏡８から構成されるものである。洗面台１２は背面を壁面２０に沿わせて床面１８から立設され、洗面台１２の上面には壁面２０から前面方向に突出したカウンター１０を有し、上記カウンター１０には水道蛇口１１が突設され、また、洗面槽９が上面を開口すると共に下方で排水部１３を有して埋設されている。また、上記カウンター１０の上面から突出するように鏡８が壁面２０に沿って設置されている。ここで、鏡８はカウンター１０及び洗面台１２と同様の巾を有するものであり、後述する照明器具が洗面化粧台１の上方の天井１９に埋設されているので、カウンター１０の上面から天井１９近傍に至るような大きな空間に亘って設けることができるものである。これにより、化粧等に際して使い勝手のよい洗面化粧台１を得るものである。
【００１４】
天井１９の洗面化粧台１側の端部（つまり天井１９の洗面化粧台１の上方の位置）には照明器具を埋設してある。上記照明器具は天井１９に下面を開口する函状の照明ボックス１４と照明ボックス１４内に配置した灯具１５とで構成されるものである。また、灯具１５はメイン灯具１５ａとサブ灯具１５ｂで構成されるものであり、メイン灯具１５ａ及びサブ灯具１５ｂは双方とも直管状の蛍光灯を使用するものであり、メイン灯具１５ａはサブ灯具１５ｂに比べて出力が大きいものである。本例ではメイン灯具１５ａに４０Ｗの蛍光灯を使用し、サブ灯具１５ｂに２０Ｗの蛍光灯を使用しているものである。メイン灯具１５ａは照明ボックス１４を構成する鏡８と反対側の壁１４ａに取付器具１６を介して配置されるものであり、サブ灯具１５ｂは照明ボックス１４を構成する鏡８側の壁１４ｂに取付器具１６を介して配置されるものである。ここで灯具１５に蛍光灯を使用するにのは、蛍光灯が自然光に近いものであるので化粧に適した光であるということ、また、蛍光灯は一般的に寿命が長いものであるので取り替え等のメンテナンスの回数を減らすことができるものであるからである。
【００１５】
更に図２に示すように、サブ灯具１５ｂとしての直管状の蛍光灯の長さは洗面化粧台１の巾と略同じの長さに形成され、メイン灯具１５ａとしての蛍光灯がサブ灯具１５ｂの蛍光灯と比べて長い長さに形成されるもので、壁面２０の巾方向に亘って設けられているものである。これは、最も明るさが必要な鏡８及び洗面化粧台１のカウンター１０上面にはメイン灯具１５ａとサブ灯具１５ｂとで明るく照らし、鏡８の壁面２０の他の部分ではメイン灯具１５ａのみで照らすことを目的としているものであり、無駄を省き効率よく洗面化粧室の空間の適所に適度な照明を供給するという考えにたっての設定である。
【００１６】
上記のように照明器具を天井１９に埋設することで、照明ボックス１４内の鏡８から離れた壁１４ａに直接照明範囲が遮られることによって、メイン灯具１５ａの直接照明範囲は図１の点線Ｆに挟まれた部分であり、また、サブ灯具１５ｂの直接照明範囲は図１の点線Ｇに挟まれた部分である。これによると、洗面化粧台１の近傍では、メイン灯具１５ａ及びサブ灯具１５ｂ双方の直接照明範囲にあるものである。しかして、鏡８及び洗面化粧台１のカウンター１０上面にはメイン灯具１５ａ及びサブ灯具１５ｂの双方の直接照明をもって照らすことで高照度の照明を供給することができるものである。特に、鏡８及びカウンター１０上部では化粧等の作業をする部分であるので、高照度の明るさを有する照明が必要なところであり、その要求に対応した高照度の照明を供給することができるものである。また、洗面化粧台１から離れた場所では、サブ灯具１５ｂの直接照明範囲にあるものであるが、メイン灯具１５ａの直接照明範囲にはないものである。メイン灯具１５ａは前述したようにサブ灯具１５ｂに比べて出力が大きいものであり、照度に与える影響は大きなものであるので、メイン灯具１５ａの直接照明範囲から外れた部分では主にメイン灯具１５ａの間接照明を得ることになる。しかして、洗面化粧室全体にはサブ灯具１５ｂの直接照明及びメイン灯具１５ａの間接照明によって照らすことでほのかな明るさを有する照明を供給することができるものである。洗面化粧室全体では鏡８及びカウンター１０上部等に比べて高い照度を必要としない部分であるために、主にメイン灯具１５ａの間接照明のほのかな明るさを有する照明で充分であるものである。
【００１７】
【発明の効果】
上記のように本発明の請求項１記載の洗面化粧室の構造にあっては、洗面化粧室の壁面に隣接して洗面化粧台を設け、上記洗面化粧台の上方の天井に照明器具を埋設し、洗面化粧台のカウンター上面から天井近傍に至るように鏡を壁面に沿わせて設置したので、照明器具が天井に埋設されるものであるので、洗面化粧台のカウンター上面から天井近傍に至る空間に大型の鏡を設置することができ、化粧等に際して使い勝手のよい洗面化粧台を得るものであり、また、上記照明器具を天井で下面を開口する函状の照明ボックスと照明ボックス内に配置した灯具とで構成し、上記灯具を蛍光灯で構成したので、洗面化粧台で化粧をする際に自然光を浴びているのに近い状態を創出することができ、また、蛍光灯の寿命は一般的に長いものであるから取替え等のメンテナンスの回数を減らすことができるものであり、また、灯具をメイン灯具とサブ灯具とで構成し、サブ灯具に比べて出力の大きなメイン灯具を照明ボックスにおける鏡と反対側の壁と上面とのコーナ部に配置すると共に、サブ灯具を照明ボックスにおける鏡側の壁と上面とのコーナ部に配置したので、洗面化粧室の鏡側にはメイン灯具及びサブ灯具の直接照明をもって照らすことで高照度の照明を供給することができ、洗面化粧室全体にはサブ灯具の直接照明及びメイン灯具の間接照明によって照らすことでほのかな明るさを有する照明を供給することができるものである。
【００２０】
また、本発明の請求項２記載の洗面化粧室の構造は、請求項１の効果に加えて、蛍光灯は直管状のものであり、サブ灯具としての蛍光灯が洗面化粧台１の巾と略同様の長さを有し、メイン灯具としての蛍光灯がサブ灯具の蛍光灯と比べて長い長さを有するものであるので、最も明るさが必要な鏡及び洗面化粧台のカウンター上面にはメイン灯具とサブ灯具とで照明を供給し、鏡を配置した壁面の他の部分にはメイン灯具の照明のみを供給することで、無駄を省き効率よく洗面化粧室の空間の適所に適度な照明を供給することができるものである。
【図面の簡単な説明】
【図１】本発明の実施の形態の例を示す洗面化粧室の部分側面図である。
【図２】同上の照明器具を示す上面透視図である。
【図３】同上の洗面化粧室の上面図である。
【図４】図３の洗面化粧室の中心から見たＡ方向側面図である。
【図５】図３の洗面化粧室の中心から見たＢ方向側面図である。
【図６】図３の洗面化粧室の中心から見たＣ方向側面図である。
【図７】図３の洗面化粧室の中心から見たＤ方向側面図である。
【符号の説明】
１  洗面化粧台
８  鏡
１０  カウンター
１４  照明ボックス
１５  灯具
１５ａ  メイン灯具
１５ｂ  サブ灯具
１９  天井
２０  壁面
Ｆ  メイン灯具の直接照明範囲
Ｇ  サブ灯具の直接照明範囲
【図１】
0003613104.tif 000002
【図２】
0003613104.tif 000003
【図３】
0003613104.tif 000004
【図４】
0003613104.tif 000005
【図５】
0003613104.tif 000006
【図６】
0003613104.tif 000007
【図７】
0003613104.tif 000008